(57)【特許請求の範囲】
【請求項１】
レンジや流し台などのキッチンの乱雑状態を隠蔽する目的で上下方向に開閉する目隠しパネルが設置してある目隠しを有するキッチンであって、２枚の目隠しパネルが滑車を介して連結されて吊り下げられたものであり、一方の目隠しパネルを上下動させることにより他方を反対方向に移動させて目隠しパネルを開閉する目隠しを有するキッチン。
【請求項２】
請求項１において、２枚の目隠しパネルが径の異なる滑車を同軸とした滑車を介して連結されて吊り下げられており、一方の目隠しパネルを上下動させることにより他方を反対方向に異なる距離移動させて目隠しパネルを開閉する目隠しを有するキッチン。
【請求項３】
請求項１〜２のいずれかにおいて、目隠しパネルの位置を検知して厨房機器用の電源を接・断するものである目隠しを有するキッチン。
【請求項４】
請求項３において、目隠しパネルが全開のときのみ電源が供給されるものである目隠しを有するキッチン。
【請求項５】
請求項３において、目隠しパネルが閉じた状態のとき、厨房設備に設けた飾り棚の照明が点灯されるものである目隠しを有するキッチン。
【発明の詳細な説明】
【技術分野】
【０００１】
本発明は、片づけがされていない乱雑な状態のキッチンを来客などの視線から素早く遮ることができる目隠しを設けたキッチンに関する。
【背景技術】
【０００２】
キッチンは食事を準備する家庭のプライベートな空間であり、他人に見られるのは好まれず、特にキッチンが使用状態の場合は、調理器具や食器、食材が片付けられておらず露出しているので見られたくないものである。とはいえ、キッチンは、食事を作る場所であって家事の中心的な場所であり、目隠しの設置及び撤去が簡単迅速におこなえるものでないとキッチンの使用の障害となってストレスとなる。
キッチンを隠す目的で、食器棚をキッチンと隣室の間で移動可能としたものが特許文献１（特開２０００−４５４２６号公報）に開示されている。また、目隠しスライドや目隠しスクリーンが提案されている。
【先行技術文献】
【特許文献】
【０００３】
【特許文献１】特開２０００−４５４２６号公報
【発明の概要】
【発明が解決しようとする課題】
【０００４】
特許文献１の食器棚は、食器の入ったものを移動させなくてはならず、力を必要とし、キッチンの主要使用者である女性にとって、急な場面で重量のある物体を移動させることによってキッチンを隠すには適していない。また、キッチンを使えるように目隠しを元に戻すことが面倒であり、食器が必要になった場合には食器を取り出すことが不便であった。また、目隠しスクリーンは、目隠し材として中途半端であり、意匠として満足できるものではなかった。
【０００５】
本発明は、目隠し部材の移動を力を必要とせずに簡単におこなえるようにすると共に、意匠的にもインテリア装飾として違和感を与えないようにすることを目的とするものである。
【課題を解決するための手段】
【０００６】
レンジや流し台などのキッチンの乱雑状態を隠蔽する目的で上下方向に開閉する目隠しパネルが設置してある目隠しを有するキッチンであって、２枚の目隠しパネルが滑車を介して連結されて吊り下げられたものであり、一方の目隠しパネルを上下動させることにより他方を反対方向に移動させて目隠しパネルを開閉して乱雑状態を迅速に目隠しパネルで隠蔽することができるようにしたものである。
【発明の効果】
【０００７】
視線を遮る上下に開閉する目隠しパネルは、通常はキッチン使用の邪魔にならない天井と床の近くに配設されており、キッチンを隠す必要があるときは、目隠しパネルを上下方向に移動させることにより上下のパネルを合体させてキッチンを隠すものであり、操作が容易であると共に瞬時にキッチンを隠すことができる。
また、目隠し状態からキッチンを通常の使用モードに戻すことも目隠しパネルを開くことによって瞬時におこなうことが可能である。
【図面の簡単な説明】
【０００８】
【図１】本発明の目隠しパネルを有するキッチンの開閉状態を示す正面図。
【図２】滑車を利用して目隠しパネルを上下させることを示す概念図。
【図３】滑車の設置状態の詳細を示す正面図及び側面図。
【図４】異なる直径の滑車を同軸として目隠しパネルを上下させることを示す概念図。
【図５】目隠しパネルを定荷重ばねを利用して上下させることを示す概念図。
【図６】目隠しパネルを定トルクダンパーを利用して上下させることを示す概念図。
【図７】目隠しパネルの下縁を上方に上げることを示す概念図。
【発明を実施するための形態】
【０００９】
図１に示すように、キッチン１の壁面側に流し台２とガステーブルやＩＨコンロなどの熱機器３１、食器洗い乾燥機３２、上下に飾り棚４１、４２が設けてある。壁面には電気機器用のコンセント３３が適宜の位置に設けられており、飾り棚４１、４２には照明具Ｌが設けてある。
【００１０】
流し台２の前面には上下動する２枚の目隠しパネル５ａ、５ｂが設けてあり、両側に設けたガイドレール７に沿って上下動できるようにしてある。
図１（１）は目隠しパネル５ａ、５ｂが閉じた状態であり、流し台２、熱機器３１、食器洗い乾燥機３２、コンセント３３及び排気フード６は目隠しパネル５によって視線から遮ることができ、流し台２や熱機器３１に置いてある鍋やフライパンなどは見られることがない。
【００１１】
図１（２）は、目隠しパネル５が上下に開いた状態であり、目隠しパネル５ａは下方に、目隠しパネル５ｂは上方に移動して流し台２、及び熱機器３１などが使用可能な状態となっている。
【００１２】
目隠しパネル５の上下のパネル５ａ、５ｂは、図２に示すように、滑車５１を介してロープ５２で連結されて吊り下げられており、目隠しパネル５ａ、５ｂを同一重量とすることによって任意の位置で釣り合いを取ることができる。
ロープ５２は、方向を変換するプーリ５１ａによって往復のロープを相互に近接させ、狭い空間にロープ５２を配設できるようにしてある。
ロープ５２の端部は、目隠しパネル５ａ、５ｂの両側面に設けた固定具５３に連結固定されている。ロープ５２は、ワイヤロープや合成繊維製のロープなどが使用でき、特に材質は問わない。また、ロープの他、チェーン及び類似のものを使用することができる
【００１３】
滑車５１は、図３に示すように、目隠しパネル５の両側の天井裏に設けた台座５９に滑車ユニットとして設置固定されており、両側の滑車５１はシャフト５８で連結されており、同期して回転するようにしてある。台座５９は、天井スラブにアンカー５５を設けて吊ボルトによって固定されている。滑車５１の回転によって振動が起きるので、ボルトには防振ゴム５７を介して台座５９が固定されている。  
【００１４】
キッチンを隠す必要が生じたときは、上側の目隠しパネル５ｂを引き下げるか下側の目隠しパネル５ａを引き上げることによって滑車５１で連結された二つの目隠しパネル５ａ、５ｂが相互に近接して閉じた状態で停止し、流し台２や熱機器３１、電気機器、及び鍋等の料理用器具や食材が目隠しパネル５によって視線から遮られて見えなくなる。
キッチンを隠す必要がなくなったら目隠しパネル５ｂを押し上げるか、目隠しパネル５ａを押し下げて目隠しパネル５を上下に移動させて開いた状態とし、キッチンを使用可能状態とする。
【００１５】
目隠しパネル５をガイドするレール７の近傍の壁面にはセンサー型スイッチ７１が設けてあり、目隠しパネル５ａ、５ｂの側面に設けたスイッチ駆動部７２の近接、または、接触によってコンセントを含む厨房設備の電源を断・接するようにしてある。電源がはいったままの状態で放置されると過熱状態を招くような機器への電源の供給が停止されるようにしてある。
また、目隠しパネルが閉じた状態のとき、流し台２の上下に設けた飾り棚４の照明Ｌの電源が入るようにし、目隠しパネルを単なるキッチンの隠蔽装置としてでなく、パネル上下の飾り棚を照明することによって室内装飾とすることもできる。
【００１６】
図２に示した滑車を使用した実施例は、上下の目隠しパネル５ａ、５ｂが同じ距離だけ上下に移動するものであるが、図４に示すように、直径の異なる滑車Ａと滑車Ｂを同軸とした滑車を使用すると、滑車Ａ、Ｂの直径比に応じて上下の目隠しパネル５ａ、５ｂの移動距離を異なるものとすることができ、目隠しパネルの移動距離の比は、滑車の直径の比と等しくなる。
目隠しパネル５ａ、５ｂを吊り下げる滑車の直径が異なり、移動距離に差があり、両パネルをロープで連結して吊り下げることができないので、各目隠しパネルを吊り下げるロープは、滑車に巻き取られるようにする。かつ、各目隠しパネルの荷重をバランスさせるための錘をロープ５２の端部、または、目隠しパネル内部に設ける。
【００１７】
また、図５に示すように、目隠しパネル５ａ、５ｂをドラム８１に定荷重ばね８２を巻きとり可能とした開閉装置８０で吊り下げたり、または、図６に示すように、目隠しパネル５ａ、５ｂの側面にラック８５を取り付け、このラック８５にかみ合う歯８６を有する定トルクロータリーダンパー８７を使用することによって目隠しパネルを任意の位置に停止させることができるようにする。
【００１８】
目隠しパネル５の開閉は、電動モータ（図示しない）によって目隠しパネル５ａ、５ｂを上下に開閉するようにしてもよい。電動モータで駆動されるドラムに巻きかけられたロープで目隠しパネルを吊り下げたり、目隠しパネルの側面にラックを設けて電動モータで目隠しパネルを独立して移動させることができるので、滑車の場合と異なり、閉じた状態の位置を任意に変更することができる。
【００１９】
目隠しパネルの隠蔽範囲を大きくとろうとすると、目隠しパネルが大きくなり、キッチンで作業する人の頭部が上部の目隠しパネル５ｂの下縁にぶつかる恐れが生ずるので、図７（１）に示すように、上部の目隠しパネル５ｂの下縁部にヒンジ等を設けて折り曲げ可能とするのが好ましい。または、図７（２）、（３）に示すように、上部の目隠しパネル５ｂの下縁を伸縮可能として背の高い人にも対応できるようにする。
以上、本発明を壁に流し台を沿わせて設けたキッチンを例にして説明したが、本発明は、対面式のキッチンにおいても適用可能であり、キッチンを隠蔽する適宜の場所に目隠しパネルを設置することによって目的を達成することができる。
【符号の説明】
【００２０】
１    キッチン
２    流し台
３１  熱機器
４    飾り棚
５    目隠しパネル
５１  滑車
５１ａ変換プーリ
５２  ロープ
７    ガイドレール
８１  ドラム
８２  定荷重ばね
８５  ラック
８７  定トルクロータリーダンパー
【図１】
0005330418.tif 000002
【図２】
0005330418.tif 000003
【図４】
0005330418.tif 000004
【図６】
0005330418.tif 000005
【図７】
0005330418.tif 000006
【図３】
0005330418.tif 000007
【図５】
0005330418.tif 000008